(57)【要約】      （修正有）【課題】制御弁（油圧アクチュエータ）を容易に作動させる油圧システムを提供する。【解決手段】第１油圧アクチュエータ１４を制御する第１制御弁２０Ａと、第２油圧アクチュエータ１７を制御する第２制御弁２０Ｂと、作動油の圧力を上昇させる圧力上昇部１３０と、第１制御弁に接続され且つ圧力上昇部が接続される第１系統排出油路３０１と、第１系統排出油路に接続され且つ第１系統排出油路とは別に作動油を排出可能な第２系統排出油路２８０と、第２系統排出油路を閉鎖することで圧力上昇部に作動油を流す許容位置２６８ａと、第２系統排出油路を開放することで圧力上昇部に向けて作動油が流れることを抑制する抑制位置２６８ｂと、第１油圧アクチュエータの作動油を第１系統排出油路及び第２系統排出油路とは異なる第３系統排出油路１６９ａ，１６９ｂ，１６９ｃで排出するフロート位置２６８ｃとに切換可能なフロート切換弁２６８と、を備えている。【選択図】図１
2020002994.tif 000002
【特許請求の範囲】
【請求項１】
作動油を吐出する油圧ポンプと、
第１油圧アクチュエータと、
第２油圧アクチュエータと、
前記第１油圧アクチュエータを制御する第１制御弁と、
前記第１制御弁の下流側に設けられ、且つ、前記第２油圧アクチュエータを制御する第２制御弁と、
前記作動油の圧力を上昇させる圧力上昇部と、
前記第１制御弁及び第２制御弁のいずれかに接続され且つ前記圧力上昇部が接続される第１系統排出油路と、
前記第１系統排出油路に接続され且つ前記第１系統排出油路とは別に作動油を排出可能な第２系統排出油路と、
前記第２系統排出油路を閉鎖することで前記圧力上昇部に作動油を流す許容位置と、前記第２系統排出油路を開放することで前記圧力上昇部に向けて作動油が流れることを抑制する抑制位置と、前記第１油圧アクチュエータの作動油を前記第１系統排出油路及び第２系統排出油路とは異なる第３系統排出油路で排出するフロート位置とに切換可能なフロート切換弁と、
を備えている作業機の油圧システム。
【請求項２】
前記第１制御弁と前記油圧ポンプとを接続する吐出油路と、
前記吐出油路から分岐して前記フロート切換弁に接続するアンロード油路と、
を備え、
前記フロート切換弁は、前記アンロード油路の作動油を前記第２系統排出油路に排出するアンロード位置に切り換え可能である請求項１に記載の作業機の油圧システム。
【請求項３】
少なくとも前記第１油圧アクチュエータ及び前記第２油圧アクチュエータのいずれかを操作する操作部材を備え、
前記操作部材に操作によって前記第１油圧アクチュエータ及び前記第２油圧アクチュエータのいずれも操作されていない場合には、前記フロート切換弁は、前記アンロード位置に切り換え可能である請求項２に記載の作業機の油圧システム。
【請求項４】
前記操作部材に操作によって前記第１油圧アクチュエータ及び前記第２油圧アクチュエータのいずれかが操作されている場合には、前記フロート切換弁は、前記抑制位置、許容位置及びフロート位置のいずれかに切り換わる請求項３に記載の作業機の油圧システム。
【請求項５】
前記第１油圧アクチュエータから前記第１制御弁に戻る作動油である戻り油を、前記第２制御弁に供給する第１油路と、
前記吐出油路から前記第１制御弁に供給された作動油である供給油を、前記第１油圧アクチュエータに供給する第２油路と、
前記第１制御弁の内部で排出ポートに連通し且つ前記第１油路と前記第１系統排出油路とを接続する第３油路と、
前記第１油路に接続され、且つ、前記第１油路の戻り油を前記第２油路に返す第４油路と、
を備えた請求項２〜４のいずれかに記載の作業機の油圧システム。
【請求項６】
前記第１油路は、前記第１制御弁と前記第１油圧アクチュエータとを接続し且つ前記戻り油が流れる第１接続油路と、前記第１制御弁に設けられ且つ前記第１接続油路に連通する第１内部油路と、前記第１内部油路に連通し且つ前記第１制御弁と前記第２制御弁とを接続する外部油路とを有し、
前記第２油路は、前記第１制御弁と前記第１油圧アクチュエータとを接続し且つ前記供給油が流れる第２接続油路と、前記第１制御弁に設けられ且つ前記第２接続油路に連通する第２内部油路とを有し、
前記第３油路は、前記第１内部油路と前記第１系統排出油路とを接続する油路である請求項５に記載の作業機の油圧システム。
【請求項７】
前記第４油路は、前記第１油路とは別の油路であって前記第１油路の前記外部油路と前記第１制御弁とを連結する連結油路と、前記第１制御弁に設けられ且つ前記連結油路に連通する第３内部油路と、前記第３内部油路に連通し且つ、前記連結油路及び前記第３内部油路を通過した作動油を前記第１制御弁に返す返し油路とを含んでいる請求項６に記載の作業機の油圧システム。
【請求項８】
作動油を吐出する油圧ポンプと、
第１油圧アクチュエータと、
第２油圧アクチュエータと、
前記第１油圧アクチュエータを制御する第１制御弁と、
前記第１制御弁の下流側に設けられ、且つ、前記第２油圧アクチュエータを制御する第２制御弁と、
前記第１制御弁と前記油圧ポンプとを接続する吐出油路と、
前記吐出油路から分岐して前記フロート切換弁に接続するアンロード油路と、
前記第１油圧アクチュエータのフロート動作させるフロート位置と、前記アンロード油路の作動油を前記排出して前記第１制御弁及び第２制御弁への作動油の供給を抑制するアンロード位置とに切換可能なフロート切換弁と、
を備えている作業機の油圧システム。
【請求項９】
少なくとも前記第１油圧アクチュエータ及び前記第２油圧アクチュエータのいずれかを操作する操作部材を備え、
前記操作部材に操作によって前記第１油圧アクチュエータ及び前記第２油圧アクチュエータのいずれも操作されていない場合には、前記フロート切換弁は、前記アンロード位置に切り換え可能である請求項８に記載の作業機の油圧システム。
【請求項１０】
前記操作部材に操作によって前記第１油圧アクチュエータ及び前記第２油圧アクチュエータのいずれかが操作されている場合には、前記フロート切換弁は、前記フロート位置に切り換え可能である請求項８に記載の作業機の油圧システム。
【発明の詳細な説明】
【技術分野】
【０００１】
本発明は、スキッドステアローダ、コンパクトトラックローダ等の作業機の油圧システム及び制御弁に関する。
【背景技術】
【０００２】
従来、作業機の油圧システムとして特許文献１が知られている。特許文献１の作業機は、ブームと、バケットと、ブームを作動させるブームシリンダと、バケットを作動させるバケットシリンダと、予備アタッチメントを作動させる予備アクチュエータと、ブームシリンダの伸縮を制御する第１制御弁と、バケットシリンダの伸縮を制御する第２制御弁と、予備アクチュエータを作動させる第３制御弁を備えている。
【先行技術文献】
【特許文献】
【０００３】
【特許文献１】特開２０１０−２７０５２７号公報
【発明の概要】
【発明が解決しようとする課題】
【０００４】
特許文献１の作業機では、第１制御弁、第２制御弁、第３制御弁といった複数の制御弁によって、ブームシリンダ、バケットシリンダ等の油圧アクチュエータを作動させている。複数の制御弁と油圧アクチュエータとを接続する油路（給排油路）、又は、複数の制御弁には、作動油を排出する排出油路が接続されている。給排油路から排出油路へと排出される作動油、複数の制御弁から排出油路へと排出される作動油をコントロールすることによって、様々な状況に対応して、油圧アクチュエータをバランスよく作動させるようにしている。
【０００５】
本発明は、上記したような従来技術の問題点を解決すべくなされたものであって、より制御弁（油圧アクチュエータ）をスムーズに作動させることができる作業機の油圧システムを提供することを目的とする。
【課題を解決するための手段】
【０００６】
この技術的課題を解決するための本発明の技術的手段は、以下の通りである。
作業機の油圧システムは、作動油を吐出する油圧ポンプと、第１油圧アクチュエータと、第２油圧アクチュエータと、前記第１油圧アクチュエータを制御する第１制御弁と、前記第１制御弁の下流側に設けられ、且つ、前記第２油圧アクチュエータを制御する第２制御弁と、前記作動油の圧力を上昇させる圧力上昇部と、前記第１制御弁及び第２制御弁のいずれかに接続され且つ前記圧力上昇部が接続される第１系統排出油路と、前記第１系統排出油路に接続され且つ前記第１系統排出油路とは別に作動油を排出可能な第２系統排出油路と、前記第２系統排出油路を閉鎖することで前記圧力上昇部に作動油を流す許容位置と、前記第２系統排出油路を開放することで前記圧力上昇部に向けて作動油が流れることを抑制する抑制位置と、前記第１油圧アクチュエータの作動油を前記第１系統排出油路及び第２系統排出油路とは異なる第３系統排出油路で排出するフロート位置とに切換可能なフロート切換弁と、を備えている。
【０００７】
作業機の油圧システムは、前記第１制御弁と前記油圧ポンプとを接続する吐出油路と、前記吐出油路から分岐して前記フロート切換弁に接続するアンロード油路と、を備え、前記フロート切換弁は、前記アンロード油路の作動油を前記第２系統排出油路に排出するアンロード位置に切り換え可能である。
作業機の油圧システムは、少なくとも前記第１油圧アクチュエータ及び前記第２油圧アクチュエータのいずれかを操作する操作部材を備え、前記操作部材に操作によって前記第１油圧アクチュエータ及び前記第２油圧アクチュエータのいずれも操作されていない場合には、前記フロート切換弁は、前記アンロード位置に切り換え可能である。
【０００８】
前記操作部材に操作によって前記第１油圧アクチュエータ及び前記第２油圧アクチュエータのいずれかが操作されている場合には、前記フロート切換弁は、前記抑制位置、許容位置及びフロート位置のいずれかに切り換わる。
作業機の油圧システムは、前記第１油圧アクチュエータから前記第１制御弁に戻る作動油である戻り油を、前記第２制御弁に供給する第１油路と、前記吐出油路から前記第１制御弁に供給された作動油である供給油を、前記第１油圧アクチュエータに供給する第２油路と、前記第１制御弁の内部で排出ポートに連通し且つ前記第１油路と前記第１系統排出油路とを接続する第３油路と、前記第１油路に接続され、且つ、前記第１油路の戻り油を前記第２油路に返す第４油路と、を備えている。
【０００９】
前記第１油路は、前記第１制御弁と前記第１油圧アクチュエータとを接続し且つ前記戻り油が流れる第１接続油路と、前記第１制御弁に設けられ且つ前記第１接続油路に連通する第１内部油路と、前記第１内部油路に連通し且つ前記第１制御弁と前記第２制御弁とを接続する外部油路とを有し、前記第２油路は、前記第１制御弁と前記第１油圧アクチュエータとを接続し且つ前記供給油が流れる第２接続油路と、前記第１制御弁に設けられ且つ前記第２接続油路に連通する第２内部油路とを有し、前記第３油路は、前記第１内部油路と前記第１系統排出油路とを接続する油路である。
【００１０】
前記第４油路は、前記第１油路とは別の油路であって前記第１油路の前記外部油路と前記第１制御弁とを連結する連結油路と、前記第１制御弁に設けられ且つ前記連結油路に連通する第３内部油路と、前記第３内部油路に連通し且つ、前記連結油路及び前記第３内部油路を通過した作動油を前記第１制御弁に返す返し油路とを含んでいる。
作業機の油圧システムは、作動油を吐出する油圧ポンプと、第１油圧アクチュエータと、第２油圧アクチュエータと、前記第１油圧アクチュエータを制御する第１制御弁と、前記第１制御弁の下流側に設けられ、且つ、前記第２油圧アクチュエータを制御する第２制御弁と、前記第１制御弁と前記油圧ポンプとを接続する吐出油路と、前記吐出油路から分岐して前記フロート切換弁に接続するアンロード油路と、前記第１油圧アクチュエータのフロート動作させるフロート位置と、前記アンロード油路の作動油を前記排出して前記第１制御弁及び第２制御弁への作動油の供給を抑制するアンロード位置とに切換可能なフロート切換弁と、を備えている。
【００１１】
作業機の油圧システムは、少なくとも前記第１油圧アクチュエータ及び前記第２油圧アクチュエータのいずれかを操作する操作部材を備え、前記操作部材に操作によって前記第１油圧アクチュエータ及び前記第２油圧アクチュエータのいずれも操作されていない場合には、前記フロート切換弁は、前記アンロード位置に切り換え可能である。
前記操作部材に操作によって前記第１油圧アクチュエータ及び前記第２油圧アクチュエータのいずれかが操作されている場合には、前記フロート切換弁は、前記フロート位置に切り換え可能である。
【発明の効果】
【００１２】
本発明によれば、より制御弁（油圧アクチュエータ）をスムーズに作動させることができる。
【図面の簡単な説明】
【００１３】
【図１】作業機の油圧システム（油圧回路）を示す図である。
【図２】作動油の流れを説明する説明図である。
【図３】作業機の油圧システムの変形例を示す図である。
【図４】作業機として例示するスキッドステアローダの全体図である。
【発明を実施するための形態】
【００１４】
以下、本発明に係る作業機の油圧システムの好適な実施形態について、適宜図面を参照しながら説明する。
まず、作業機から説明する。
図４は、本発明に係る作業機の側面図を示している。図４では、作業機の一例として、スキッドステアローダを示している。但し、本発明に係る作業機はスキッドステローダに限定されず、例えば、コンパクトトラックローダ等の他の種類のローダ作業機であってもよい。また、ローダ作業機以外の作業機であってもよい。
【００１５】
作業機１は、機体（車体）２と、キャビン３と、作業装置４と、走行装置５Ａ、５Ｂとを備えている。
機体２上にはキャビン３が搭載されている。キャビン３内の後部には運転席８が設けられている。本発明の実施形態において、作業機１の運転席８に着座した運転者の前側（図４の左側）を前方、運転者の後側（図４の右側）を後方、運転者の左側（図４の手前側）を左方、運転者の右側（図４の奥側）を右方として説明する。また、前後の方向に直交する方向である水平方向を機体幅方向として説明する。機体２の中央部から右部或いは左部へ向かう方向を機体外方として説明する。言い換えれば、機体外方とは、機体幅方向であって、機体２から離れる方向である。機体外方とは反対の方向を、機体内方として説明する。言い換えれば、機体内方とは、機体幅方向であって、機体２に近づく方向である。
【００１６】
キャビン３は、機体２に搭載されている。作業装置４は、作業を行う装置で、機体２に装備されている。走行装置５Ａは、機体２を走行させる装置であって、機体２の左側に設けられている。走行装置５Ｂは、機体２を走行させる装置であって、機体２の右側に設けられている。機体２内の後部には原動機７が設けられている。原動機７は、ディーゼルエンジン（エンジン）である。なお、原動機７は、エンジンに限定されず、電動モータ等であってもよい。
【００１７】
運転席８の左側には、走行レバー９Ｌが設けられている。運転席８の右側には、走行レバー９Ｒが設けられている。左側の走行レバー９Ｌは、左側の走行装置５Ａを操作するものであり、右側の走行レバー９Ｒは、右側の走行装置５Ｂを操作するものである。
作業装置４は、ブーム１０と、バケット１１と、リフトリンク１２と、制御リンク１３と、ブームシリンダ１４と、バケットシリンダ１７とを有する。ブーム１０は、機体２の側方に設けられている。バケット１１は、ブーム１０の先端（前端）に設けられている。リフトリンク１２及び制御リンク１３は、ブーム１０の基部（後部）を支持する。ブームシリンダ１４は、ブーム１０を上又は下に駆動する。
【００１８】
詳しくは、リフトリンク１２、制御リンク１３及びブームシリンダ１４は、機体２の側方に設けられている。リフトリンク１２の上部は、ブーム１０の基部の上部に枢支されている。リフトリンク１２の下部は、機体２の後部の側部に枢支されている。制御リンク１３は、リフトリンク１２の前方に配置されている。制御リンク１３の一端は、ブーム１０の基部の下部に枢支され、他端が機体２に枢支されている。
【００１９】
ブームシリンダ１４は、ブーム１０を昇降する油圧シリンダである。ブームシリンダ１４の上部は、ブーム１０の基部の前部に枢支されている。ブームシリンダ１４の下部は、機体２の後部の側部に枢支されている。ブームシリンダ１４を伸縮すれば、リフトリンク１２及び制御リンク１３によってブーム１０が上下に揺動する。バケットシリンダ１７は、バケット１１を揺動する油圧シリンダである。バケットシリンダ１７は、バケット１１の左部と左のブームとの間を連結すると共に、バケット１１の右部と右のブームとの間を連結する。なお、ブーム１０の先端（前部）には、バケット１１の代わりに、油圧圧砕機，油圧ブレーカ，アングルブルーム，オーガー，パレットフォーク，スイーパー，モア，スノウブロア等の予備アタッチメントが装着可能とされている。
【００２０】
走行装置５Ａ，５Ｂは、本実施形態では前輪５Ｆ及び後輪５Ｒを有する車輪型の走行装置５Ａ，５Ｂが採用されている。なお、走行装置５Ａ，５Ｂとしてクローラ型（セミクローラ型を含む）の走行装置５Ａ，５Ｂを採用してもよい。
次に、スキッドステアローダ１に設けられた作業系油圧回路（作業系油圧システム）について説明する。
【００２１】
作業系油圧システムは、ブーム１０、バケット１１、予備アタッチメント等を作動させるシステムであって、図１に示すように、複数の制御弁２０と、作業系の油圧ポンプ（第１油圧ポンプ）Ｐ１を備えている。また、第１油圧ポンプＰ１とは異なる第２油圧ポンプＰ２を備えている。
第１油圧ポンプＰ１は、原動機７の動力によって作動するポンプであって、定容量型のギヤポンプによって構成されている。第１油圧ポンプＰ１は、タンク（作動油タンク）１５に貯留された作動油を吐出可能である。第２油圧ポンプＰ２は、原動機７の動力によって作動するポンプであって、定容量型のギヤポンプによって構成されている。第２油圧ポンプＰ２は、タンク（作動油タンク）１５に貯留された作動油を吐出可能である。なお、第２油圧ポンプＰ２は、油圧システムにおいて、信号用の作動油、制御用の作動油を吐出する。信号用の作動油及び制御用の作動油のことをパイロット油という。
【００２２】
複数の制御弁２０は、作業機１に設けられた様々な油圧アクチュエータを制御する弁である。油圧アクチュエータとは、作動油によって作動する装置で、油圧シリンダ、油圧モータ等である。この実施形態では、複数の制御弁２０は、ブーム制御弁２０Ａ、バケット制御弁２０Ｂ、予備制御弁２０Ｃである。
ブーム制御弁２０Ａは、ブーム１０を作動する油圧アクチュエータ（ブームシリンダ）１４を制御する弁である。ブーム制御弁２０Ａは、直動スプール形３位置切換弁である。ブーム制御弁２０Ａは、中立位置２０ａ３、中立位置２０ａ３とは異なる第１位置２０ａ１、中立位置２０ａ３及び第１位置２０ａ１とは異なる第２位置２０ａ２に切り換わる。ブーム制御弁２０Ａにおいて、中立位置２０ａ３、第１位置２０ａ１、第２位置２０ａ２の切換は、操作部材１８１の操作によりスプールを動かすことによって行う。なお、ブーム制御弁２０Ａの切換は、操作部材１８１を手動操作することによってスプールを直接移動させることにより行っているが、スプールを油圧操作（パイロットバルブによる油圧操作、比例弁による油圧操作）で移動させてもよいし、電気操作（ソレノイドを励磁することによる電気操作）で移動させてもよいし、その他の方法で移動させてもよい。
【００２３】
ブーム制御弁２０Ａと、第１油圧ポンプＰ１とは吐出油路２７により接続されている。吐出油路２７であって、ブーム制御弁２０Ａと第１油圧ポンプＰ１との間の区間には、作動油タンク１５に繋がる排出油路２４ａが接続されている。排出油路２４ａの中途部にリリーフ弁（メインリリーフ弁）２５が設けられている。第１油圧ポンプＰ１から吐出した作動油は、吐出油路２７を通過してブーム制御弁２０Ａに供給される。また、ブーム制御弁２０Ａと、ブームシリンダ１４とは、油路２１で接続されている。
【００２４】
詳しくは、ブームシリンダ１４は、筒体１４ａと、筒体１４ａに移動自在に設けられたロッド１４ｂと、ロッド１４ｂに設けられたピストン１４ｃとを備えている。筒体１４ａの基端部（ロッド１４ｂ側とは反対側）には、作動油を給排する第１ポート１４ｄが設けられている。筒体１４ａの先端（ロッド１４ｂ側）には、作動油を給排する第２ポート１４ｅが設けられている。
【００２５】
油路２１は、ブーム制御弁２０Ａの第１ポート３１とブームシリンダ１４の第１ポート１４ｄとを接続する連通油路２１ａと、ブーム制御弁２０Ａの第２ポート３２とブームシリンダ１４の第２ポート１４ｅとを接続する油路２１ｂとを有している。
したがって、ブーム制御弁２０Ａを第１位置２０ａ１にすれば、連通油路２１ａからブームシリンダ１４の第１ポート１４ｄに作動油を供給することができると共に、ブームシリンダ１４の第２ポート１４ｅから連通油路２１ｂに作動油を排出することができる。これによって、ブームシリンダ１４は伸長し、ブーム１０は上昇する。ブーム制御弁２０Ａを第２位置２０ａ２にすれば、連通油路２１ｂからブームシリンダ１４の第２ポート１４ｅに作動油を供給することができると共に、ブームシリンダ１４の第１ポート１４ｄから連通油路２１ａに作動油を排出することができる。これによって、ブームシリンダ１４は収縮し、ブーム１０は下降する。
【００２６】
バケット制御弁２０Ｂは、バケット１１を制御する油圧シリンダ（バケットシリンダ）１７を制御する弁である。バケット制御弁２０Ｂは、パイロット方式の直動スプール形３位置切換弁である。バケット制御弁２０Ｂは、中立位置２０ｂ３、中立位置２０ｂ３とは異なる第１位置２０ｂ１、中立位置２０ｂ３及び第１位置２０ｂ１とは異なる第２位置２０ｂ２に切り換わる。バケット制御弁２０Ｂにおいて、中立位置２０ｂ３、第１位置２０ｂ１及び第２位置２０ｂ２の切換は、操作部材１８１の操作によりスプールを動かすことによって行う。なお、バケット制御弁２０Ｂの切換は、操作部材１８１を手動操作することによってスプールを直接移動させることにより行っているが、スプールを油圧操作（パイロットバルブによる油圧操作、比例弁による油圧操作）で移動させてもよいし、電気操作（ソレノイドを励磁することによる電気操作）で移動させてもよいし、その他の方法で移動させてもよい。
【００２７】
バケット制御弁２０Ｂと、バケットシリンダ１７とは、油路２２で接続されている。詳しくは、バケットシリンダ１７は、筒体１７ａと、筒体１７ａに移動自在に設けられたロッド１７ｂと、ロッド１７ｂに設けられたピストン１７ｃとを備えている。筒体１７ａの基端部（ロッド１７ｂ側とは反対側）には、作動油を給排する第１ポート１７ｄが設けられている。筒体１７ａの先端（ロッド１７ｂ側）には、作動油を給排する第２ポート１７ｅが設けられている。
【００２８】
油路２２は、バケット制御弁２０Ｂの第１ポート３５とバケットシリンダ１７の第２ポート１７ｅとを接続する連通油路２２ａと、バケット制御弁２０Ｂの第２ポート３６とバケットシリンダ１７の第１ポート１７ｄとを接続する連通油路２２ｂとを有している。
したがって、バケット制御弁２０Ｂを第１位置２０ｂ１にすれば、連通油路２２ａからバケットシリンダ１７の第２ポート１７ｅに作動油を供給することができると共に、バケットシリンダ１７の第１ポート１７ｄから連通油路２２ｂに作動油を排出することができる。これによって、バケットシリンダ１７は収縮し、バケット１１はスクイ動作する。バケット制御弁２０Ｂを第２位置２０ａ２にすれば、連通油路２２ｂからバケットシリンダ１７の第１ポート１７ｄに作動油を供給することができると共に、バケットシリンダ１７の第２ポート１７ｅから連通油路２２ａに作動油を排出することができる。これによって、バケットシリンダ１７は伸長し、ダンプ動作する。
【００２９】
予備制御弁２０Ｃは、予備アタッチメントに装着された油圧アクチュエータ（油圧シリンダ、油圧モータ等）１６を制御する弁である。予備制御弁２０Ｃは、パイロット方式の直動スプール形３位置切換弁である。予備制御弁２０Ｃは、中立位置２０ｃ３、中立位置２０ｃ３とは異なる第１位置２０ｃ１、中立位置２０ｃ３及び第１位置２０ｃ１とは異なる第２位置２０ｃ２に切り換わる。予備制御弁２０Ｃにおいて、中立位置２０ｃ３、第１位置２０ｃ１及び第２位置２０ｃ２の切換は、パイロット油の圧力によってスプールを動かすことによって行う。予備制御弁２０Ｃには、給排油路８３ａ、８３ｂを介して接続部材１８が接続されている。接続部材１８には、予備アタッチメントの油圧アクチュエータ１６に接続された油路が接続される。
【００３０】
したがって、予備制御弁２０Ｃを第１位置２０ｃ１にすれば、給排油路８３ａから予備アタッチメントの油圧アクチュエータ１６に作動油を供給することができる。予備制御弁２０Ｃを第２位置２０ｃ２にすれば、給排油路８３ｂから予備アタッチメントの油圧アクチュエータ１６に作動油を供給することができる。このように、給排油路８３ａ又は給排油路８３ｂから油圧アクチュエータ１６に作動油を供給することにより、当該油圧アクチュエータ１６（予備アタッチメント）を作動させることができる。
【００３１】
さて、油圧システムにおいては、シリーズ回路（シリーズ油路）が適用されている。シリーズ回路では、油圧アクチュエータから上流側の制御弁に戻った作動油が、下流側の制御弁に供給可能である。例えば、バケット制御弁２０Ｂと、予備制御弁２０Ｃとに着目すると、バケット制御弁２０Ｂが上流側の制御弁であり、予備制御弁２０Ｃが下流側の制御弁である。
【００３２】
以下、上流側の制御弁を「第１制御弁」、下流側の制御弁を「第２制御弁」という。第１制御弁及び第２制御弁以外の制御弁であって第２制御弁の下流側に設けられた制御弁のことを「第３制御弁」という。
また、第１制御弁に対応する油圧アクチュエータのことを「第１油圧アクチュエータ」、第２制御弁に対応する油圧アクチュエータのことを「第２油圧アクチュエータ」、第３制御弁に対応する油圧アクチュエータのことを「第３油圧アクチュエータ」という。第１油圧アクチュエータから第１制御弁に戻る作動油である戻り油を、第２制御弁に供給する油路のことを、「第１油路」という。
【００３３】
この実施形態では、ブーム制御弁２０Ａが「第１制御弁」、バケット制御弁２０Ｂが「第２制御弁」、予備制御弁２０Ｃが「第３制御弁」である。また、ブームシリンダ１４が「第１油圧アクチュエータ」、バケットシリンダ１７が「第２油圧アクチュエータ」、予備アタッチメントの油圧アクチュエータ１６が「第３油圧アクチュエータ」である。
以下、第１制御弁２０Ａと第２制御弁２０Ｂとの関係について、詳しく説明する。
【００３４】
第１制御弁２０Ａと第１油圧ポンプＰ１の吐出部とは、吐出油路２７により接続されている。吐出油路２７は中途部２７ａで分岐している。吐出油路２７の分岐後の油路は、第１制御弁２０Ａの第１入力ポート４６ａ及び第２入力ポート４６ｂに接続されている。また、吐出油路２７は、第１制御弁２０Ａの第３入力ポート４６ｃに接続されている。したがって、第１油圧ポンプＰ１から吐出した作動油は、吐出油路２７、第１入力ポート４６ａ、第２入力ポート４６ｂ、第３入力ポート４６ｃを通じて、第１制御弁２０Ａ内に供給することが可能である。第１制御弁２０Ａと第２制御弁２０Ｂとは、中央油路５１により接続されている。中央油路５１は、第１制御弁２０Ａの第３出力ポート４１ｃと、第２制御弁２０Ｂの第３入力ポート４２ｃとを接続している。
【００３５】
さて、第１制御弁２０Ａを中立位置２０ａ３にした場合、第３入力ポート４６ｃと第３出力ポート４１ｃとを結ぶ中央油路５３ｃの連通によって、吐出油路２７から第１制御弁２０Ａに供給された作動油である供給油は、当該第１制御弁２０Ａを通過して中央油路５１に供給される。
第１制御弁２０Ａと第２制御弁２０Ｂとは、中央油路５１とは別に、第１油路６１により接続されている。第１油路６１は、第１油圧アクチュエータ１４から第１制御弁２０Ａに戻る戻り油を、第１制御弁２０Ａを通過させて第２制御弁２０Ｂに供給する油路である。
【００３６】
第１油路６１は、連通油路（第１接続油路）２１ａと、第１内部油路６１ａと、外部油路６１ｂとを有している。第１接続油路２１ａは、第１制御弁２０Ａの第１ポート３１と、第１油圧アクチュエータ１４の第１ポート１４ｄとを接続する油路であって、第１油圧アクチュエータ１４の第１ポート１４ｄから排出された戻り油が流れる油路である。
第１内部油路６１ａは、第１制御弁２０Ａに設けられ且つ第１接続油路２１ａに連通する油路である。詳しくは、第１内部油路６１ａは、第１制御弁２０Ａを第２位置２０ａ２にした場合に、第１制御弁２０Ａの第１ポート３１と第１制御弁２０Ａの第１出力ポート４１ａとを接続する油路である。
【００３７】
外部油路６１ｂは、第１内部油路６１ａに連通し且つ第２制御弁２０Ｂに接続する油路である。外部油路６１ｂは、第１制御弁２０Ａの第１出力ポート４１ａと第２制御弁２０Ｂの第１入力ポート４２ａとを接続し、且つ、第１制御弁２０Ａの第２出力ポート４１ｂと第２制御弁２０Ｂの第２入力ポート４２ｂとを接続している。外部油路６１ｂの中途部は、中央油路５１に接続されている。即ち、外部油路６１ｂと中央油路５１とは途中で合流している。
【００３８】
以上によれば、第１制御弁２０Ａを側方位置である第２位置２０ａ２にした場合、第２入力ポート４６ｂへ導入された供給油は、第２ポート３２及び連通油路２１ｂを通過して第１油圧アクチュエータ１４の第２ポート１４ｅに入ることになる。第２ポート１４ｅに供給油が供給されると、例えば、第１油圧アクチュエータ１４は収縮する。第１油圧アクチュエータ１４が収縮すると、当該第１油圧アクチュエータ１４の第１ポート１４ｄから排出された戻り油が、第１接続油路２１ａを通過して第１内部油路６１ａに流れ、第１内部油路６１ａの戻り油は、外部油路６１ｂを通って、第２制御弁２０Ｂに向けて流れる。したがって、第１油圧アクチュエータ１４の戻り油を第２制御弁２０Ｂに供給することができる。
【００３９】
次に、第２制御弁２０Ｂと第３制御弁２０Ｃとの関係について、詳しく説明する。
第２制御弁２０Ｂと第３制御弁２０Ｃとは、中央油路７２により接続されている。中央油路７２は、第２制御弁２０Ｂの第３出力ポート４３ｃと、第３制御弁２０Ｃの第３入力ポート４４ｃとを接続している。したがって、第２制御弁２０Ｂを中立位置２０ｂ３にした場合、第２制御弁２０Ｂに供給された作動油である供給油は、第３入力ポート４２ｃと第３出力ポート４３ｃとを結ぶ中央油路７３ｃを通って、第３出力ポート４３ｃに接続された中央油路７２に供給される。
【００４０】
第２制御弁２０Ｂと第３制御弁２０Ｃとは、中央油路７２とは別に、油路８１により接続されている。油路８１は、第２油圧アクチュエータ１７から第２制御弁２０Ｂに戻る戻り油を、第２制御弁２０Ｂを通過させて第３制御弁２０Ｃに供給する油路である。
油路８１は、連通油路２２ａと、連通油路８１ａと、連通油路８１ｂと、を有している。連通油路２２ａは、第２制御弁２０Ｂの第１ポート３５と、第２油圧アクチュエータ１７の第２ポート１７ｅとを接続する油路であって、第２ポート１７ｅから排出された戻り油が流れる油路である。
【００４１】
連通油路８１ａは、第２制御弁２０Ｂに設けられ且つ連通油路２２ａに連通する油路である。詳しくは、連通油路８１ａは、第２制御弁２０Ｂを第２位置２０ｂ２にした場合に、第２制御弁２０Ｂの第１ポート３５と第２制御弁２０Ｂの第１出力ポート４３ａとを接続する油路である。
連通油路８１ｂは、連通油路８１ａに連通し且つ第３制御弁２０Ｃに接続する油路である。連通油路８１ｂは、第２制御弁２０Ｂの第１出力ポート４３ａと第３制御弁２０Ｃの第１入力ポート４４ａとを接続し、且つ、第２制御弁２０Ｂの第２出力ポート４３ｂと第３制御弁２０Ｃの第２入力ポート４４ｂとを接続している。連通油路８１ｂの中途部は、中央油路７２に合流している。
【００４２】
以上によれば、第２制御弁２０Ｂを側方位置である第２位置２０ｂ２にした場合、第２入力ポート４２ｂへ導入された供給油は、第２ポート３６及び連通油路２２ｂを通過して第２油圧アクチュエータ１７の第１ポート１７ｄに入ることになる。第１ポート１７ｄに供給油が供給されると、例えば、第２油圧アクチュエータ１７は伸長する。第２油圧アクチュエータ１７が伸長すると、当該第２油圧アクチュエータ１７の第２ポート１７ｅから排出された戻り油が、連通油路２２ａを通過して連通油路８１ａに流れ、連通油路８１ａの戻り油は、連通油路８１ｂを通って、第３制御弁２０Ｃに向けて流れる。したがって、第２油圧アクチュエータ１７の戻り油を第３制御弁２０Ｃに供給することができる。
【００４３】
作業機の油圧システムは、排出油路２４ｂを含んでいる。排出油路２４ｂは、第１制御弁２０Ａに接続され、且つ、第１制御弁２０Ａを通過した作動油を作動油タンク１５等に排出可能である。
排出油路２４ｂは、油路２４ｂ１と、油路２４ｂ２と、油路２４ｂ３とを含んでいる。油路２４ｂ１は、連通油路２１ｂに接続する油路である。油路２４ｂ１の中途部にはリリーフ弁３７が設けられている。油路２４ｂ２は、第１接続油路２１ａ、第１制御弁２０Ａの第１排出ポート３３ａ及び第２排出ポート３３ｂに接続する油路である。油路２４ｂ２の中途部にもリリーフ弁３７が設けられている。
【００４４】
油路２４ｂ３は、油路２４ｂ１及び油路２４ｂ２の合流部２６ａと作動油タンク１５とを接続する油路である。
また、排出油路２４は、第２制御弁２０Ｂを通過した作動油を作動油タンク１５等に排出可能である。
また、排出油路２４ｂは、油路２４ｂ４、油路２４ｂ５、油路２４ｂ６、油路２４ｂ７を含んでいる。油路２４ｂ４は、連通油路２２ｂに接続する油路である。油路２４ｂ１の中途部にはリリーフ弁３８が設けられている。油路２４ｂ５は、連通油路２２ａ、第２制御弁２０Ｂの第１排出ポート３４ａ及び第２排出ポート３４ｂに接続する油路である。油路２４ｂ５の中途部にもリリーフ弁３８が設けられている。
【００４５】
油路２４ｂ６は、油路２４ｂ１及び油路２４ｂ２の合流部２６ｂと、油路２４ｂ３とを接続している。また、油路２４ｂ６は、中央油路７２に連通する中央油路７５に連通している。油路２４ｂ７は、油路２４ｂ６と中央油路７５とが合流する合流部７６と、作動油タンク１５等を接続している。油路２４ｂ７には、作動油の流量を減少させる絞り部１１３と、作動油を冷却するオイルクーラ１１４が設けられている。
【００４６】
図１、図２に示すように、作業機の油圧システムは、第３油路１１０と、第４油路１２０とを備えている。第３油路１１０は、第１油路６１に接続された油路である。第３油路１１０は、第１制御弁２０Ａに設けられ、第１油路６１の第１内部油路６１ａと排出油路２４ｂとを接続している。詳しくは、第３油路１１０は、第１制御弁２０が第２位置２０ａ２である場合に、第１内部油路６１ａと第１排出ポート３３ａ（排出油路２４ｂ）とを接続する。なお、第３油路１１０に作動油の流量を減少させる絞り部１５１を設けてもよい。
【００４７】
第４油路１２０は、第１油路６１に接続され且つ第１油路６１の戻り油を、第２油路８５に供給する油路である。第２油路８５は、連通油路（第２接続油路）２１ｂと、第２内部油路８６と、を有している。連通油路２１ｂは、第１制御弁２０Ａの第２ポート３２と、第１油圧アクチュエータ１４の第２ポート１４ｅとを接続する油路であって、第２ポート３２に流れる供給油を第２ポート１４ｅに流す油路である。第２内部油路８６は、第１制御弁２０Ａに設けられ且つ連通油路２１ｂに連通する油路である。詳しくは、第２内部油路８６は、第１制御弁２０Ａを第２位置２０ａ２にした場合に、第１制御弁２０Ａの第２入力ポート４６ｂと第１制御弁２０Ａの第２ポート３２とを接続する油路である。
【００４８】
第４油路１２０は、連結油路１２１と、第３内部油路１２２と、返し油路１２３とを有している。連結油路１２１は、第１油路６１とは別の油路であって、第１油路６１の外部油路６１ｂと第１制御弁２０Ａとを連結する油路である。詳しくは、連結油路１２１は、中央油路５１の一部の油路であって、合流部６３と第１制御弁２０Ａの第３出力ポート４１ｃとを接続する油路である。第３内部油路１２２は、第１制御弁２０Ａが第２位置２０ａ２である場合に、第１制御弁２０Ａの第３出力ポート４１ｃと第１制御弁２０Ａの第３入力ポート４６ｃとを接続する油路である。なお、第３内部油路１２２に作動油の流量を減少させる絞り部１５０を設けてもよい。
【００４９】
返し油路１２３は、第３内部油路１２２に連通し且つ、連結油路１２１及び第３内部油路１２２を通過した作動油を第１制御弁２０Ａに返す返し油路である。返し油路１２３は、吐出油路２７の一部の油路であって、吐出油路２７における区間油路１２３ａと、吐出油路２７における区間油路１２３ｂとを含んでいる。区間油路１２３ａは、第３出力ポート４１ｃと中途部２７ａとを接続する油路である。区間油路１２３ｂは、中途部２７ａと、
第１入力ポート４６ａ及び第２入力ポート４６ｂを接続する油路である。
【００５０】
さて、作業機の油圧システムは、第１制御弁２０Ａから排出する作動油の系統が２系統となっている。即ち、作業機の油圧システムは、第１系統排出油路３０１と、第２系統排出油路とを含んでいる。第１系統排出油路３０１は、第１制御弁２０Ａの排出ポート（第１排出ポート３３ａ、第２排出ポート３３ｂ）に接続された油路を含んでいる。具体的には、第１系統排出油路３０１は、油路２４ｂ２と、油路２４ｂ３とを有している。
【００５１】
第１系統排出油路３０１には、圧力上昇部１３０が接続されている。圧力上昇部１３０は、少なくとも第１系統排出油路３０１の圧力を上昇させることが可能な部分である。圧力上昇部１３０は、油路２４ｂ３に設けられた逆止弁である。詳しくは、逆止弁は、排出油路２４ｂ３において、当該排出油路２４ｂ３と排出油路２４ａとが合流する合流部２６ｃと、作動油タンク１５との区間１３５に設けられている。
【００５２】
逆止弁は、作業油が合流部２６ａ側（合流部２６ｃ側）から作動油タンク１５に向けて流れることを許容し且つ作動油が作動油タンク１５側から合流部２６ａ側（合流部２６ｃ側）に向けて流れるのを阻止する弁である。逆止弁は差圧を設定する設定部材１３１を有している。設定部材１３１はスプリング等で構成されていて、作動油の流れを許容する方向と反対側（阻止する方向）から弁体を所定の付勢力で押すことによって差圧を生じさせる。上述した実施形態では、圧力上昇部１３０は、逆止弁で構成していたが、排出油路２４ｂの圧力を上昇させるものであれば何でもよく、オイルクーラ、リリーフ弁、絞り部（絞り弁）、チョーク弁であってもよい。
【００５３】
第２系統排出油路は、第１系統排出油路３０１に接続され且つ第１系統排出油路３０１とは別に作動油を排出可能な油路である。第２系統排出油路は、油路２４ｂ２から分岐した分岐油路２８０である。分岐油路２８０は、作動油を排出する排出部に至る油路である。排出部は、作動油タンク、油圧ポンプの吸込部（作動油を吸い込む部分）である。なお、排出部は、作動油が排出される部分であればよく、作動油タンク、油圧ポンプの吸込部以外であってもよく限定されない。
【００５４】
第２系統排出油路（分岐油路２８０）は、油路２８０ａと、油路２８０ｂとを含んでいる。油路２８０ａは、油路２４ｂ２から分岐してフロート切換弁２６８に接続する油路である。油路２８０ｂは、フロート切換弁２６８に接続され且つ作動油タンク１５等の排出部に至る油路である。
フロート切換弁２６８は、少なくとも３位置切換弁であって、許容位置２６８ａと、抑制位置２６８ｂと、フロート位置２６８ｃとに切り換え可能である。フロート切換弁２６８は、許容位置２６８ａである場合、第２系統排出油路（分岐油路２８０）を閉鎖することで圧力上昇部１３０に作動油を流す。フロート切換弁２６８は、抑制位置２６８ｂである場合、第２系統排出油路（分岐油路２８０）を開放することで圧力上昇部１３０に向けて作動油が流れることを抑制する。フロート切換弁２６８は、フロート位置２６８ｃである場合、第１油圧アクチュエータ１４の作動油を第１系統排出油路３０１及び第２系統排出油路（分岐油路２８０）とは異なる油路で排出する。なお、この実施形態では、フロート切換弁２６８は、許容位置２６８ａ、抑制位置２６８ｂ及びフロート位置２６８ｃの他に、アンロード位置２６８ｄに切り換え可能である。フロート切換弁２６８は、アンロード位置２６８ｄである場合、第１油圧ポンプＰ１から吐出した作動油を第２系統排出油路（分岐油路２８０）に排出することで、少なくとも第１制御弁２０Ａ及び第２制御弁２０Ｂへの作動油の供給を停止する。フロート切換弁２６８では、スプールを一方向に移動させると、抑制位置２６８ｂに切り換わり、さらに、スプールを一方向に移動させると、アンロード位置２６８ｄに切り換わる構成となっている。
【００５５】
以下、フロート切換弁２６８について詳しく説明する。
フロート制御弁２６８は、第１ポート２３１、第２ポート２３２、第３ポート２３３、第４ポート２３４、第５ポート２３５、第６ポート２３６、第７ポート２３７、第８ポート２３８を有している。第１ポート２３１には、連通油路２１ａから分岐した油路１６９ａが接続され、第２ポート２３２には、連通油路２１ｂから分岐した油路１６９ｂが接続されている。また、第４ポート２３４及び第５ポート２３５は、油路１６９ｃに接続されている。油路１６９ｃは、第４ポート２３４及び第５ポート２３５と、圧力上昇部１３０の流入ポート１３０ａとを接続する油路である。油路１６９ａ、油路１６９ｂ及び油路１６９ｃは、第１系統排出油路３０１及び第２系統排出油路とは異なる油路の系統（第３系統排出油路）であって、フロート用の排出油路である。
【００５６】
第３ポート２３３、第６ポート２３６及び第８ポート２３８には、分岐油路２８０が接続されている。具体的には、第３ポート２３３には、分岐油路２８０の油路２８０ａが接続され、第６ポート２３６及び第８ポート２３８には、分岐油路２８０の油路２８０ｂが接続されている。
第７ポート２３７には、吐出油路４０の中途から分岐してフロート切換弁２６８に接続するアンロード油路２７０が接続されている。アンロード油路２７０は、例えば、吐出油路４０における区間油路１２３ｂに接続されている。
【００５７】
フロート制御弁２６８がフロート位置２６８ｃである場合、当該フロート制御弁２６８のスプールは、第１ポート２３１と第５ポート２３５とを連通し且つ、第２ポート２３２と第４ポート２３４とを連通する。その結果、フロート制御弁２６８がフロート位置２６８ｃである場合、連通油路２１ａの作動油は、油路１６９ａ及び油路１６９ｃを通過して、圧力上昇部１３０に到達した後、当該圧力上昇部１３０を通過して作動油タンク１５に排出される。つまり、フロート制御弁２６８がフロート位置２６８ｃである場合、第１アクチュエータ１４内部の作動油が、作動油タンク１５に排出されることになり、フロート動作が行われる。
【００５８】
フロート制御弁２６８が抑制位置２６８ｂである場合、当該フロート制御弁２６８のスプールは、第３ポート２３３と第６ポート２３６とを連通する。また、フロート制御弁２６８が抑制位置２６８ｂである場合、当該フロート制御弁２６８のスプールは、第１ポート２３１と第５ポート２３５との連通、第２ポート２３２と第４ポート２３４との連通、第７ポート２３７と第８ポート２３８の連通をそれぞれ遮断する。つまり、フロート制御弁２６８が抑制位置２６８ｂである場合、分岐油路２８０が開放される。その結果、フロート制御弁２６８が抑制位置２６８ｂである場合、第１制御弁２０Ａの第１排出ポート３３ａ及び第２排出ポート３３ｂのいずれかから排出された作動油は、油路２８０ａ及び油路２８０ｂを通過して、作動油タンク１５に排出されることになる。
【００５９】
フロート制御弁２６８が許容位置２６８ａである場合、当該フロート制御弁２６８のスプールは、第１ポート２３１〜第８ポート２３８の連通を遮断する。つまり、フロート制御弁２６８が許容位置２６８ａである場合、分岐油路２８０が閉鎖される。
このように、フロート制御弁２６８が許容位置２６８ａである状態では、分岐油路２８０が閉鎖されるため排出油路２４ｂ３の区間１３５において、圧力上昇部１３０の流入ポート１３０ａよりも上流側における作動油の流れが変わる。第１系統排出油路３０１に繋がる第３油路１１０に設けた絞り部１５１によって差圧が生じ、第１内部油路６１ａの圧力が低くなると、図２の矢印Ａ１に示すように、第１系統排出油路３０１の作動油は、第１排出ポート３３ａを通過して第３油路１１０に流れる。図２の矢印Ａ２に示すように、第３油路１１０に逆流させた作動油（逆流油）や第３油路１１０に連通する第１内部油路６１ａを流れる戻り油等は、当該第１内部油路６１ａ及び第１出力ポート４１ａを通過して、外部油路６１ｂに流れる。図２の矢印Ａ３に示すように、外部油路６１ｂの作動油の一部は、合流部６３を通過して連結油路１２１及び第３内部油路１２２を流れ、第３入力ポート４６ｃから排出される。また、図２の矢印Ａ４に示すように、第３入力ポート４６ｃから排出された作動油は、返し油路１２３を通過して、再び第１制御弁２０Ａに戻り、第１制御弁２０Ａの第２入力ポート４６ｂに入る。図２の矢印Ａ５に示すように、第１制御弁２０Ａの第２入力ポート４６ｂに入った作動油は、第２油路８５の第２内部油路８６を流れて、第２油路８５の連通油路２１ｂに流れることになる。つまり、図２のＡ１〜Ａ５に示すように、フロート制御弁２６８が許容位置２６８ａにした場合は、第１系統排出油路３０１の作動油を逆流させ、逆流した作動油等を、供給油が流れる連通油路２１ｂに供給することができる。
【００６０】
これによれば、例えば、第１油圧アクチュエータ１４を収縮する動作、ブーム下げの動作をした場合、第１油圧ポンプＰ１が吐出した作動油に加えて、戻り油又は逆流油を連通油路２１ｂに供給することができる。その結果、ブーム下げ動作に対する応答が速くなり、素早い速度でブーム下げをスムーズに行うことができる。言い換えれば、第１油圧ポンプＰ１が吐出した作動油に、少なくとも戻り油及び逆流油が加わるため、ブーム下げ動作を素早く行った場合等に、一時的にブーム下げに必要な作動油の流量が、第１油圧ポンプＰ１から吐出する作動油の流量を超えてしまうことを防止することができる。
【００６１】
一方、フロート制御弁２６８が抑制位置２６８ｂである状態では、第２系統排出油路（分岐油路２８０）が開放されるため、図２の矢印Ａ６に示すように、排出油路２４ｂ３の作動油は、第２系統排出油路（分岐油路２８０）を通過して作動油タンク１５等に向かって流れる。そのため、圧力上昇部１３０が作用しなくなるため、排出油路２４ｂ３の区間１３５の作動油の圧力は上昇しない。この場合は、第１制御弁２０Ａの第３油路１１０を通過した作動油を、作動油タンク１５等へ向けて流すことができる。
【００６２】
例えば、バケット１１或いは予備アクチュエータが何らかの事情で動かなくなり、第１制御弁２０Ａの戻り油を、第１油路６１を通じて第２制御弁２０Ｂに供給できなくなった場合、戻り油の行き場がなくなるため、第１油圧アクチュエータ１７が動きにくくなることが考えられる。この実施形態では、第３油路１１０及び第２系統排出油路（分岐油路２８０）を設けているため、第１制御弁２０Ａから第２制御弁２０Ｂに供給できなくなった戻り油を、第３油路１１０及び第２系統排出油路（分岐油路２８０）を介して作動油タンク１５に逃がすことができ、その結果、第１油圧アクチュエータ１７をスムーズに動かすことができる。つまり、第１油圧アクチュエータ１７のロッド側の戻り油を、第１油圧アクチュエータ１７のボトム側に戻すことができるため、第１油圧アクチュエータ１７の伸長時の速度を向上させることができる。フロート制御弁２６８を切り換えることにより、第１制御弁２０Ａに作動油を逆流させる再生を効率よく行うことができ、作業機の燃費を向上させることができる。
【００６３】
また、フロート制御弁２６８がアンロード位置２６８ｄである場合、当該フロート制御弁２６８のスプールは、第７ポート２３７と第８ポート２３８とを連通する。そのため、第１油圧ポンプＰ１から吐出した作動油（供給油）を、アンロード油路２７０に通過させて、第２系統排出油路（分岐油路２８０）から排出部に排出することができる。
さて、フロート制御弁２６８には、制御装置１６５が接続されている。制御装置１６５には、操作部材１８１の操作を検出する操作検出装置１８２が接続されている。操作検出装置１８２は、操作部材１８１の回動を検出するセンサ、操作部材１８１によって操作された制御弁２０におけるスプール等の動作を検出するセンサ、操作部材１８１によって操作された制御弁２０の受圧部に作用するパイロット圧を検出するセンサ等である。操作検出装置１８２は、操作部材１８１が操作されたか否かを検出する装置であえれば何でもよく、上述した例の他に、油圧アクチュエータの作動等を検出することで操作されたか否かを判断してもよい。
【００６４】
制御装置１６５は、操作検出装置１８２によって少なくとも第１油圧アクチュエータ１４及び第２油圧アクチュエータ１７のいずれも操作されていない場合（操作部材１８１が操作されていない）、制御信号を出力することでフロート制御弁２６８をアンロード位置２６８ｄに切り換える。即ち、フロート制御弁２６８は、操作部材１８１が操作されていない場合、アンロード位置２６８ｄに保持される。
【００６５】
したがって、操作部材１８１が操作されていない状況下、即ち、操作部材１８１が中立時にフロート制御弁２６８をアンロード位置２６８ｄにしているため、ポンプの馬力ロスを抑えることができる。
一方で、操作部材１８１が操作された場合、即ち、第１油圧アクチュエータ１４及び第２油圧アクチュエータ１７のいずれかが操作されている場合、フロート制御弁２６８は、許容位置２６８ａ、抑制位置２６８ｂ、フロート位置２６８ｃのいずれかに切り換え可能である。許容位置２６８ａ、抑制位置２６８ｂ及びフロート位置２６８ｃの切換は、制御装置１６５に接続された操作部材１６６と、操作部材１６７等によって行う。操作部材１６６及び操作部材１６７は、ＯＮ／ＯＦＦに切換可能なスイッチである。例えば、作業者が操作部材１６６をＯＮすると、制御装置１６５は、フロート制御弁２６８に制御信号を出力することで抑制位置２６８ｂに切り換える。また、作業者が操作部材１６６をＯＦＦすると、制御装置１６５は、フロート制御弁２６８に制御信号を出力することで許容位置２６８ａに切り換える。
【００６６】
また、作業者が操作部材１６７をＯＮすると、制御装置１６５は、フロート制御弁２６８に制御信号を出力することでフロート位置２６８ｃに切り換える。作業者が操作部材１６７をＯＦＦすると、制御装置１６５は、フロート制御弁２６８に制御信号を出力することでフロート位置２６８ｃ以外の位置、例えば、許容位置２６８ａに切り換える。
なお、制御装置１６５には、エンジン回転数を検出するエンジン回転センサ５０１が接続されている。制御装置１６５は、エンジンの始動時にエンジン回転センサ５０１で検出されたエンジン回転数を参照し、当該エンジン回転数が予め定められた回転数（始動判定回転数）を超えるまで、フロート制御弁２６８をアンロード位置２６８ｄに保持し、エンジン回転数が始動判定回転数を超えた時点で、フロート制御弁２６８をアンロード位置２６８ｄ以外の位置、例えば、許容位置２６８ａに切り換える。これによれば、エンジン始動時にフロート制御弁２６８をアンロード位置２６８ｄに保持しているため、エンジン始動時のトルクを増加させることができる。言い換えれば、エンジン始動時に第１油圧ポンプＰ１等の影響によって、エンジン自体のトルクの減少を抑えることができる。
【００６７】
上述した実施形態では、第１系統排出油路３０１の作動油の圧力（背圧）を上昇させていたが、フロート制御弁は背圧を上昇させない油圧回路（油圧システム）にも適用可能である。
図３は、背圧を上昇させない油圧回路（油圧システム）にフロート制御弁を適用した変形例の図を示している。図３に示す変形例では、第１系統排出油路３０１、第２系統排出油路（分岐油路２８０）、第１系統排出油路３０１に接続される圧力上昇部１３０、第３油路１１０、絞り部１５１、第３内部油路１２２等が設けられていない。
【００６８】
フロート切換弁３６８は、第１ポート２３１、第２ポート２３２、第４ポート２３４、第５ポート２３５、第７ポート２３７、第８ポート２３８を有している。第１ポート２３１、第２ポート２３２、第４ポート２３４及び第５ポート２３５は、上述した実施形態におけるフロート切換弁２６８と同様である。第７ポート２３７には、アンロード油路２７０が接続され、第８ポート２３８は、上述した第２系統排出油路（分岐油路２８０）とは異なる排出油路２４ｈが接続されている。
【００６９】
フロート切換弁３６８は、少なくとも３位置切換弁であって、フロート位置３６８ｃ、アンロード位置３６８ｄ、中立位置３６８ｅに切り換え可能である。フロート切換弁３６８は、フロート位置３６８ｃである場合、第１油圧アクチュエータ１４の作動油を油路１６９ａ、油路１６９ｂ及び油路１６９ｃで構成された第３系統排出油路に排出する。フロート切換弁３６８は、アンロード位置３６８ｄである場合、第１油圧ポンプＰ１から吐出した作動油を排出油路２４ｈに排出することで、少なくとも第１制御弁２０Ａ及び第２制御弁２０Ｂへの作動油の供給を抑制する。
【００７０】
また、変形例においても制御装置１６５は、操作検出装置１８２によって少なくとも第１油圧アクチュエータ１４及び第２油圧アクチュエータ１７のいずれも操作されていない場合（操作部材１８１が操作されていない）、制御信号を出力することでフロート制御弁３６８をアンロード位置３６８ｄに切り換える。即ち、フロート制御弁３６８は、操作部材１８１が操作されていない場合、アンロード位置３６８ｄに保持する。したがって、変形例においても操作部材１８１が操作されていない状況下、即ち、操作部材１８１が中立時にフロート制御弁３６８をアンロード位置３６８ｄにしているため、ポンプの馬力ロスを抑えることができる。
【００７１】
一方で、操作部材１８１が操作された場合、即ち、第１油圧アクチュエータ１４及び第２油圧アクチュエータ１７のいずれかが操作されている場合、フロート制御弁３６８は、フロート位置３６８ｃに切り換え可能である。また、作業者が操作部材１６７をＯＮすると、制御装置１６５は、フロート制御弁３６８に制御信号を出力することでフロート位置３６８ｃに切り換える。作業者が操作部材１６７をＯＦＦすると、制御装置１６５は、フロート制御弁３６８に制御信号を出力することで中立位置３６８ｅに切り換える。
【００７２】
なお、変形例においても、制御装置１６５は、エンジンの始動時にエンジン回転センサ５０１で検出されたエンジン回転数を参照し、当該エンジン回転数が予め定められた回転数（始動判定回転数）を超えるまで、フロート制御弁３６８をアンロード位置３６８ｄに保持し、エンジン回転数が始動判定回転数を超えた時点で、フロート制御弁３６８を中立位置３６８ｅに切り換える。これによれば、エンジン始動時にフロート制御弁３６８をアンロード位置３６８ｄに保持しているため、エンジン始動時のトルクを増加させることができる。言い換えれば、エンジン始動時に第１油圧ポンプＰ１等の影響によって、エンジン自体のトルクの減少を抑えることができる。
【００７３】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。第１制御弁及び第２制御弁は上述した実施形態に限定されず、作業機に設けられた制御弁であれば何でもよい
上述した実施形態では、作動油の排出は、作動油タンクにしていたが、その他の場所であってもよい。即ち、作動油を排出するための油路は、作動油タンク以外に接続されていてもよく、例えば、油圧ポンプの吸込部（作動油を吸い込む部分）に接続してもよいし、その他の個所に接続してもよい。
【００７４】
上述した実施形態では、制御弁は、３位置切換弁であったが、切換の位置の数は限定されず、２位置切換弁であっても、４位置切換弁であっても、その他の切換弁であってもよい。上述した実施形態では、油圧ポンプは定容量ポンプであったが、例えば、斜板の変更によって吐出量が変化する可変容量ポンプであっても、その他の油圧ポンプであってもよい。
【００７５】
また、第１油圧アクチュエータ、第２油圧アクチュエータ、第３油圧アクチュエータ、第１制御弁、第２制御弁、第３制御弁は、上述した実施形態に限定されず、作業機１に設けられるものであればよい。
また、第１系統排出油路は、第１制御弁２０Ａ等の制御弁に接続されている油路であれば何でもよく、上述した実施形態に限定されない。
【符号の説明】
【００７６】
１  作業機
１４  第１油圧アクチュエータ
１７  第２油圧アクチュエータ
２０Ａ  第１制御弁
２０Ｂ  第２制御弁
２１ａ  第１接続油路
２１ｂ  第２接続油路
４０  吐出油路
６１  第１油路
６１ａ  第１内部油路
６１ｂ  外部油路
８５  第２油路
８６  第２内部油路
１１０  第３油路
１２０  第４油路
１２１  連結油路
１２２  第３内部油路
１２３  返し油路
１３０  圧力上昇部
２８０  分岐油路（第２系統排出油路）
１８１  操作部材
２７０  アンロード油路
２６８、３６８  フロート切換弁
２６８ａ  許容位置
２６８ｂ  抑制位置
２６８ｃ  フロート位置
２６８ｄ  アンロード位置
３６８ｃ  フロート位置
３６８ｄ  アンロード位置
３６８ｅ  中立位置
３０１  第１系統排出油路
Ｐ１  油圧ポンプ
【図１】
2020002994.tif 000003
【図２】
2020002994.tif 000004
【図３】
2020002994.tif 000005
【図４】
2020002994.tif 000006